(57)【要約】【課題】ダウンロードしたコンテンツの印刷を一定期間制限する表示端末及びプログラムを提供する。【解決手段】コンテンツのダウンロード時に、そのコンテンツを印刷できない相対時間である印刷禁止期間情報を取得し、ダウンロード時刻に相対時間を加算して印刷が可能となる印刷可能日時を算出しておく。印刷指示が入力されたら、印刷可能日時を参照し（Ｓ２１）、現在時刻を取得して（Ｓ２２）、現在時刻が印刷可能日時を越えているかを判断する（Ｓ２３）。現在時刻が印刷可能日時を越えていれば（Ｓ２３：ＹＥＳ）、印刷データを作成して（Ｓ２４）送信し（Ｓ２５）、印刷装置で印刷を実行させる。一方、現在時刻が印刷可能日時を越えていなければ（Ｓ２３：ＮＯ）、印刷できない旨を表示する（Ｓ２６）。【選択図】図３
2008226195.tif 000002
【特許請求の範囲】
【請求項１】
画像又は文書からなるコンテンツを表示する表示画面を備えた表示端末であって、
前記表示画面に表示させるコンテンツの電子データであるコンテンツ情報を取得するコンテンツ情報取得手段と、
前記コンテンツ情報取得手段により取得されるコンテンツの印刷が禁止される期間に関する情報であって、前記コンテンツ情報取得手段によりコンテンツが取得された後の所定のタイミングからの相対時間の情報である印刷禁止期間情報を取得する印刷禁止期間情報取得手段と、
前記コンテンツの印刷の指示を入力する印刷指示入力手段と、
前記印刷指示入力手段により印刷指示が入力されたときに、前記印刷禁止期間情報で示される印刷禁止期間を経過したか否かに基づいて、印刷可能か否かを判断する判断手段と、
前記判断手段により印刷可能と判断された場合に、前記コンテンツの印刷指示を印刷装置に送信する印刷指示送信手段とを備えたことを特徴とする表示端末。
【請求項２】
前記コンテンツ情報取得手段によりコンテンツが取得された日時を取得するコンテンツ取得日時取得手段と、
前記印刷指示入力手段により前記コンテンツの印刷の指示が入力された日時を取得する印刷指示日時取得手段と、
前記コンテンツ取得日時取得手段により取得したコンテンツ取得日時と、前記印刷禁止期間情報取得手段により取得した印刷禁止期間情報とから前記コンテンツの印刷が可能となる日時を算出する印刷可能日時算出手段とを備え、
前記判断手段は、前記印刷可能日時算出手段により算出された印刷可能日時と前記印刷指示日時取得手段により取得した印刷指示日時とを比較して、印刷可能か否かを判断することを特徴とする請求項１に記載の表示端末。
【請求項３】
前記印刷禁止期間情報取得手段は、ネットワークを介して前記印刷禁止期間情報を取得することを特徴とする請求項１又は２に記載の表示端末。
【請求項４】
前記印刷禁止期間情報を記憶した印刷禁止期間情報記憶手段を備え、
前記印刷禁止期間情報取得手段は、印刷禁止期間情報を前記印刷禁止期間情報記憶手段から取得することを特徴とする請求項１又は２に記載の表示端末。
【請求項５】
前記印刷禁止期間情報記憶手段は、コンテンツの種別毎に前記印刷禁止期間情報を記憶し、
前記印刷禁止期間情報取得手段は、印刷するコンテンツの種別に応じた印刷禁止期間情報を前記印刷禁止期間情報記憶手段から取得することを特徴とする請求項４に記載の表示端末。
【請求項６】
現在の日時を計測する時計手段を備え、
前記コンテンツ取得日時取得手段は、前記時計手段から前記コンテンツ取得日時を取得し、
前記印刷指示日時取得手段は、前記時計手段から前記印刷指示日時を取得することを特徴とする請求項２から５のいずれかに記載の表示端末。
【請求項７】
前記時計手段が計測する現在日時を変更する日時変更手段と、
前記日時変更手段により現在日時が変更される場合に、変更前の日時と変更後の日時の差分を算出する差分算出手段と、
前記差分算出手段により算出された差分に基づき、前記印刷可能日時を修正する修正手段とを備えたことを特徴とする請求項６に記載の表示端末。
【請求項８】
請求項１から７のいずれかに記載の表示端末の各種処理手段としてコンピュータを機能させるための印刷制御プログラム。
【請求項９】
画像又は文書からなるコンテンツを表示する表示画面を備えた表示端末であって、
前記表示画面に表示させるコンテンツの電子データであるコンテンツ情報を取得するコンテンツ情報取得手段と、
前記コンテンツ情報取得手段により取得されるコンテンツの出力が禁止される期間に関する情報であって、前記コンテンツ情報取得手段によりコンテンツが取得された後の所定のタイミングからの相対時間の情報である出力禁止期間情報を取得する出力禁止期間情報取得手段と、
前記コンテンツの出力の指示を入力する出力指示入力手段と、
前記出力指示入力手段により出力指示が入力されたときに、前記出力禁止期間情報で示される出力禁止期間を経過したか否かに基づいて、出力可能か否かを判断する判断手段と、
前記判断手段により出力可能と判断された場合に、前記コンテンツの出力指示を出力装置に送信する出力指示送信手段とを備えたことを特徴とする表示端末。
【発明の詳細な説明】
【技術分野】
【０００１】
本発明は、表示端末、及び印刷制御プログラムに関するものである。
【背景技術】
【０００２】
近年、ネットワーク化が進行し、新聞や雑誌の記事のようなコンテンツも紙媒体のみならずデジタル情報としてネットワーク上に置かれ、これをコンピュータの画面で閲覧することも一般的になってきている。また、このようなコンテンツを携帯型の表示端末にダウンロードし、オフラインで購読するシステムも提案されている（例えば、特許文献１参照)。
【特許文献１】特開２００１−２６５９３６号公報
【発明の開示】
【発明が解決しようとする課題】
【０００３】
ところで、新聞や雑誌の記事は時事情報であり、発行者には、そのデジタル情報を提供していても、一定期間経過するまではみだりに印刷・頒布されたくないという要望がある。特に、コンテンツを有料で配布している場合には、このような要望が強い。尚、携帯型表示端末をプロジェクタに接続し、コンテンツをプロジェクタで投影して多くの人により閲覧可能となることなどを防止するため、コンテンツの出力は携帯型表示端末のディスプレイのみにとどめたい場合などもある。しかしながら、携帯型表示端末から印刷等の出力が可能な場合、ダウンロードした表示端末内のコンテンツを自由に印刷等に出力できるため、印刷された記事が出回ることが避けられなかった。
【０００４】
本発明は上記問題を解決するためになされたものであり、ダウンロードしたコンテンツの印刷等の出力を一定期間制限する表示端末及びプログラムを提供することを目的とする。
【課題を解決するための手段】
【０００５】
上記目的を達成するために、本発明の請求項１に記載の表示端末は、画像又が文書からなるコンテンツを表示する表示画面を備えた表示端末であって、前記表示画面に表示させるコンテンツの電子データであるコンテンツ情報を取得するコンテンツ情報取得手段と、前記コンテンツ情報取得手段により取得されるコンテンツの印刷が禁止される期間に関する情報であって、前記コンテンツ情報取得手段によりコンテンツが取得された後の所定のタイミングからの相対時間の情報である印刷禁止期間情報を取得する印刷禁止期間情報取得手段と、前記コンテンツの印刷の指示を入力する印刷指示入力手段と、前記印刷指示入力手段により印刷指示が入力されたときに、前記印刷禁止期間情報で示される印刷禁止期間を経過したか否かに基づいて、印刷可能か否かを判断する判断手段と、前記判断手段により印刷可能と判断された場合に、前記コンテンツの印刷指示を印刷装置に送信する印刷指示送信手段とを備えたことを特徴とする。
【０００６】
また、本発明の請求項２に記載の表示端末は、請求項１に記載の発明の構成に加え、前記コンテンツ情報取得手段によりコンテンツが取得された日時を取得するコンテンツ取得日時取得手段と、前記印刷指示入力手段により前記コンテンツの印刷の指示が入力された日時を取得する印刷指示日時取得手段と、前記コンテンツ取得日時取得手段により取得したコンテンツ取得日時と、前記印刷禁止期間情報取得手段により取得した印刷禁止期間情報とから前記コンテンツの印刷が可能となる日時を算出する印刷可能日時算出手段とを備え、前記判断手段は、前記印刷可能日時算出手段により算出された印刷可能日時と前記印刷指示日時取得手段により取得した印刷指示日時とを比較して、印刷可能か否かを判断することを特徴とする。
【０００７】
また、本発明の請求項３に記載の表示端末は、請求項１又は２に記載の発明の構成に加え、前記印刷禁止期間情報取得手段が、ネットワークを介して前記印刷禁止期間情報を取得することを特徴とする。
【０００８】
また、本発明の請求項４に記載の表示端末は、請求項１又は２に記載の発明の構成に加え、前記印刷禁止期間情報を記憶した印刷禁止期間情報記憶手段を備え、前記印刷禁止期間情報取得手段は、印刷禁止期間情報を前記印刷禁止期間情報記憶手段から取得することを特徴とする。
【０００９】
また、本発明の請求項５に記載の表示端末は、請求項４に記載の発明の構成に加え、前記印刷禁止期間情報記憶手段は、コンテンツの種別毎に前記印刷禁止期間情報を記憶し、前記印刷禁止期間情報取得手段は、印刷するコンテンツの種別に応じた印刷禁止期間情報を前記印刷禁止期間情報記憶手段から取得することを特徴とする。
【００１０】
また、本発明の請求項６に記載の表示端末は、請求項２から５のいずれかに記載の発明の構成に加え、現在の日時を計測する時計手段を備え、前記コンテンツ取得日時取得手段は、前記時計手段から前記コンテンツ取得日時を取得し、前記印刷指示日時取得手段は、前記時計手段から前記印刷指示日時を取得することを特徴とする。
【００１１】
また、本発明の請求項７に記載の表示端末は、請求項６に記載の発明の構成に加え、前記時計手段が計測する現在日時を変更する日時変更手段と、前記日時変更手段により現在日時が変更される場合に、変更前の日時と変更後の日時の差分を算出する差分算出手段と、前記差分算出手段により算出された差分に基づき、前記印刷可能日時を修正する修正手段とを備えたことを特徴とする。
【００１２】
また、本発明の請求項８に記載の印刷制御プログラムは、請求項１から７のいずれかに記載の表示端末の各種処理手段としてコンピュータを機能させる。
【００１３】
また、本発明の請求項９に記載の表示端末は、画像又は文書からなるコンテンツを表示する表示画面を備えた表示端末であって、前記表示画面に表示させるコンテンツの電子データであるコンテンツ情報を取得するコンテンツ情報取得手段と、前記コンテンツ情報取得手段により取得されるコンテンツの出力が禁止される期間に関する情報であって、前記コンテンツ情報取得手段によりコンテンツが取得された後の所定のタイミングからの相対時間の情報である出力禁止期間情報を取得する出力禁止期間情報取得手段と、前記コンテンツの出力の指示を入力する出力指示入力手段と、前記出力指示入力手段により出力指示が入力されたときに、前記出力禁止期間情報で示される出力禁止期間を経過したか否かに基づいて、出力可能か否かを判断する判断手段と、前記判断手段により出力可能と判断された場合に、前記コンテンツの出力指示を出力装置に送信する出力指示送信手段とを備えたことを特徴とする。
【発明の効果】
【００１４】
本発明の請求項１に記載の表示端末は、コンテンツ情報取得手段がコンテンツ情報を取得し、印刷禁止期間情報取得手段が、そのコンテンツ情報の印刷が禁止される期間に関する印刷禁止期間情報を取得する。そして、印刷指示入力手段により印刷指示が入力されたときに、印刷禁止期間情報で示される印刷禁止期間を経過したか否かに基づいて、印刷可能か否かが判断され、印刷可能と判断された場合に印刷装置に印刷指示が送信される。従って、予め設定された印刷禁止期間を経過するまではダウンロードしたコンテンツの印刷を制限することができる。
【００１５】
また、本発明の請求項２に記載の表示端末は、請求項１に記載の発明の効果に加え、コンテンツ取得日時取得手段がコンテンツが取得された日時を取得し、印刷指示日時取得手段がコンテンツの印刷の指示が入力された日時を取得する。そして、印刷可能日時算出手段がコンテンツ取得日時と印刷禁止期間情報とからコンテンツの印刷が可能となる日時を算出する。さらに、このようにして算出された印刷可能日時と印刷指示日時とを比較して印刷可能か否かが判断される。従って、コンテンツを取得した日時から一定期間は印刷禁止期間としてダウンロードしたコンテンツの印刷を制限することができる。
【００１６】
また、本発明の請求項３に記載の表示端末は、請求項１又は２に記載の発明の効果に加え、印刷禁止期間情報はコンテンツ情報と同様にネットワークを介して取得される。従って、個々のコンテンツ情報に固有の印刷禁止期間を設定し、コンテンツ情報と同時にダウンロードさせて印刷可能か否かを判断させるので、印刷禁止期間を柔軟に設定することができる。
【００１７】
また、本発明の請求項４に記載の表示端末は、請求項１又は２に記載の発明の効果に加え、印刷禁止期間情報を印刷禁止期間情報記憶手段に記憶しておくので、一律に一定期間の印刷を禁止したい場合に対応できる。
【００１８】
また、本発明の請求項５に記載の表示端末は、請求項４に記載の発明の効果に加え、印刷禁止期間情報記憶手段には、コンテンツの種別毎に印刷禁止期間情報が記憶されるため、コンテンツの種類に応じて印刷禁止期間に長短を設けることができる。
【００１９】
また、本発明の請求項６に記載の表示端末は、請求項２から５のいずれかに記載の発明の効果に加え、時計手段が現在日時を計測しているので、コンテンツ取得時の現在日時によりコンテンツ取得日時を取得し、印刷指示が入力されたときの現在日時により、印刷指示日時を取得できる。
【００２０】
また、本発明の請求項７に記載の表示端末は、請求項６に記載の発明の効果に加え、現在日時が変更された場合には、変更前と変更後の差分を算出し、その差分を印刷可能日時に加え又は減じて修正する。従って、現在時刻を変更することによって印刷可能日時を早く到来させることを防止できる。
【００２１】
また、本発明の請求項８に記載の印刷制御プログラムは、コンピュータに実行させることにより、請求項１から７のいずれかに記載の発明の各種処理手段としての作用効果を奏することができる。
【００２２】
また、本発明の請求項９に記載の表示端末は、コンテンツ情報取得手段がコンテンツ情報を取得し、出力禁止期間情報取得手段が、そのコンテンツ情報の出力が禁止される期間に関する出力禁止期間情報を取得する。そして、出力指示入力手段により出力指示が入力されたときに、出力禁止期間情報で示される出力禁止期間を経過したか否かに基づいて、出力可能か否かが判断され、出力可能と判断された場合に出力装置に出力指示が送信される。従って、予め設定された出力禁止期間を経過するまではダウンロードしたコンテンツのプロジェクタ装置等への出力を制限することができる。
【発明を実施するための最良の形態】
【００２３】
以下、本発明の実施の形態を図面を参照して説明する。まず、本発明の表示端末の構成について図１を参照して説明する。表示端末１は、表示部１５を備えた携帯型の端末であり、ネットワークを介して又はＰＣなどの外部機器から文字や画像からなるコンテンツをダウンロードし、表示部１５に表示させる。さらに、印刷装置２に接続し、記憶しているコンテンツの印刷を実行させることができる。図１は、表示端末１の電気的構成を示すブロック図である。
【００２４】
図１に示すように、表示端末１には、表示端末１の制御を司るＣＰＵ１０が設けられ、ＣＰＵ１０には、表示端末１を動作させるためのプログラム等を記憶したＲＯＭ１１と、各種のデータを一時的に記憶するＲＡＭ１２と、表示端末１を使用しているユーザを識別するための符号であるユーザＩＤ等を記憶したＥＥＰＲＯＭ１３と、表示部１５の制御を行う表示コントローラ１４と、ユーザによる入力を受け付ける操作キー１６と、印刷装置２等の他の機器と接続するためのＵＳＢコントローラ１７と、メモリカード１９を接続するためのメモリカードコントローラ１８と、現在時刻を計測する時計２０とがバスを介して接続されている。メモリカード１９には、ダウンロードしたコンテンツ情報を記憶するエリアが設けられている。また、ＥＥＰＲＯＭ１３には、ダウンロードした各コンテンツの印刷が可能となる印刷可能日時がコンテンツに対応させて記憶される。尚、後述するように、表示端末１は、さらにタイマを備えていてもよい。
【００２５】
次に、上記のように構成された表示端末１における処理について説明する。表示端末１では、ＲＯＭ１１に記憶されたプログラムに従って、閲覧するためのコンテンツを表示させる処理をはじめ、ＣＰＵ１０により種々の処理が実行されるが、本発明に関連する処理としては、閲覧したいコンテンツのダウンロード、印刷装置２に対する印刷指示処理、さらに、表示端末１の時刻を変更しようとしたときの処理が挙げられる。以下、図２〜図４を参照して順に説明する。図２は、ダウンロード処理のフローチャートである。図３は、印刷指示処理のフローチャートである。図４は、時刻変更処理のフローチャートである。
【００２６】
図２に示すダウンロード処理は、表示端末１をネットワーク又はＰＣ等の外部機器に接続し、コンテンツのダウンロード指示を操作キー１６から入力すると開始される。まず、ダウンロード要求をしていた対象コンテンツとそのコンテンツについての印刷禁止期間情報をダウンロードする（Ｓ１）。印刷禁止期間情報は、相対的な期間であり、例えば１０日間等のようにコンテンツごとに定められ、コンテンツファイルの中に格納されているか、対応づけられた状態で同時にダウンロードされる。
【００２７】
次に、ダウンロードしたコンテンツを印刷禁止期間情報と対応づけてメモリカード１９に記憶する（Ｓ２）。次に、時計２０から現在時刻(CurrentTime)を取得する（Ｓ３）。そして、ダウンロードしたコンテンツの印刷禁止期間情報を参照して印刷禁止期間(PrintEnableTerm)を取得する（Ｓ４）。次いで、Ｓ３取得した現在時刻にＳ４で取得した印刷禁止期間を足してそのコンテンツが印刷可能となる日時(PrintableTime)を計算する（Ｓ５）。そして、算出された印刷可能日時をコンテンツと対応づけてＥＥＰＲＯＭ１３に記憶する（Ｓ６）。以上のダウンロード処理により、ダウンロードしたコンテンツがいつから印刷可能となるかが計算され、そのコンテンツに対応させて記憶されるので、印刷指示が入力されたときに参照されて印刷実行するか否かが判断できるようになる（後述）。
【００２８】
尚、上記処理では、Ｓ３で時計２０から現在時刻を取得することによりコンテンツの取得日時を取得しているが、Ｓ１のコンテンツのダウンロードの際に時刻もダウンロードするようにしてもよい。また、印刷禁止期間情報をコンテンツとともにダウンロードするのではなく、ＥＥＰＲＯＭ１３に一律の印刷禁止期間情報を記憶しておき、それを参照して印刷禁止期間を取得してもよい。一律の印刷禁止期間情報ではなく、コンテンツの種類（例えば、ニュース、小説、芸能記事等のジャンル別）ごとに異なる印刷禁止期間情報を設定し、記憶させておいてもよい。さらに、ダウンロード時に印刷可能日時を計算して記憶しておくのではなく、ダウンロード時にタイマをスタートさせ、印刷指示が入力されたときに印刷禁止期間情報を参照し、タイマの経過時間と比較して印刷可能か否かを判断するようにしてもよい。
【００２９】
次に、印刷指示処理について説明する。図３に示す印刷指示処理は、操作キー１６から表示中の文書に対して印刷指示を入力すると開始される。尚、メモリカード１９に記憶されているコンテンツ一覧を表示させ、印刷対象を選択入力するようにしてもよい。まず、ダウンロード時に算出され（図２，Ｓ５）、ＥＥＰＲＯＭ１３に記憶されている（図２，Ｓ６）印刷指示対象コンテンツの印刷可能日時(PrintableTime)を参照して取得する（Ｓ２１）。次に、時計２０から現在時刻(CurrentTime)を取得する（Ｓ２２）。現在時刻は、時計２０からの取得に限らず、表示端末１をネットワークや外部機器に接続し、接続先から取得してもよい。
【００３０】
次に、Ｓ２２で取得した現在時刻がＳ２１で取得した印刷可能日時を越えているか否かを判断する（Ｓ２３）。印刷可能日時を越えていれば（Ｓ２３：ＹＥＳ）、ダウンロード後、印刷禁止期間情報で定められた時間が既に経過しているので、印刷を指示されたコンテンツのコンテンツ情報から印刷データを作成し（Ｓ２４）、作成した印刷データを印刷装置２に送信し（Ｓ２５）、処理を終了する。ここで、印刷データは、このように表示端末１で作成して送信してもよいし、表示端末１からは印刷指示のみを送信し、印刷装置２側でサーバに接続し、そのサーバから印刷データを取得して印刷を実行したり、サーバからコンテンツ情報を取得して印刷装置２で印刷データに展開して印刷実行したりしてもよい。
【００３１】
印刷可能日時を越えていなければ（Ｓ２３：ＮＯ）、まだ印刷禁止期間内であるから、印刷できない旨を表示部１５に表示し（Ｓ２６）、処理を終了する。
【００３２】
尚、前述のように、ダウンロード時にタイマをスタートさせる場合には、印刷指示入力の後、上記のＳ２１及びＳ２２の処理に替えて、タイマから経過時間を取得し、Ｓ２３の処理でその経過時間が印刷禁止期間(PrintEnableTerm)を上回っているかを判断して、その後は同様に処理を実行すればよい。
【００３３】
次に、時計２０の時刻が利用者により変更されたときの処理について説明する。図４に示す時刻変更処理は、操作キー１６により時計２０の現在時刻が変更指示入力された場合に開始される。まず、時計２０から現在時刻(CurrentTime)を取得する（Ｓ４１）。ここで取得する現在時刻は、変更指示入力の際に時計２０が計測していた現在時刻である。次いで、操作キー１６により入力された設定時刻(SetTime)を取得する（Ｓ４２）。
【００３４】
次に、Ｓ４１で取得した現在時刻とＳ４２で取得した設定時刻の差分(difference_time)を算出する（Ｓ４３）。そして、印刷可能日時がＥＥＰＲＯＭ１３に記憶されているコンテンツを検索し、各コンテンツについての印刷可能日時を修正する処理を行う（Ｓ４４〜Ｓ４６）。
【００３５】
まず、ＥＥＰＲＯＭ１３に印刷可能日時の修正が未処理のコンテンツがあるかどうかを判断する（Ｓ４４）。印刷可能日時の記憶されているコンテンツが１つもない場合は、修正処理の必要がないし、修正処理がまだ済んでいないコンテンツがある場合には繰り返し処理を実行するためである。未処理のコンテンツがある場合には（Ｓ４４：ＹＥＳ）、処理対象コンテンツに対してその印刷可能日時(PrintableTime)を修正する。具体的には、それまでの印刷可能日時にＳ４３で算出した差分を加算して新たな印刷可能日時とする（Ｓ４５）。そして、その新たな印刷可能日時をＥＥＰＲＯＭ１３に記憶する（Ｓ４６）。以上の処理を未処理のコンテンツがなくなるまで（Ｓ４４：ＹＥＳ）繰り返し、未処理のコンテンツがなくなれば（Ｓ４４：ＮＯ）、処理を終了する。
【００３６】
このように、現在時刻が変更されたときに変更された時間分を印刷可能日時に反映させることにより、正確な現在時刻を保持したいという使用者の要望に応えつつ、ダウンロード時から印刷可能となるまでの相対時間を維持することができる。従って、使用者が、時計２０の現在時刻を変更して設定よりも早く印刷しようともくろんだとしても、印刷可能日時が早まることはない。
【００３７】
尚、タイマにより経過時間を計測し、印刷指示入力時に経過時間と印刷禁止期間を比較するようにした場合には、現在時刻の変更時に印刷禁止期間に差分を加えて修正すればよい。また、現在時刻の変更が指示入力された場合に、ＥＥＰＲＯＭ１３内に印刷可能日時が到来していないコンテンツがあるかどうかを検索し、そのようなコンテンツが１つでもある場合には現在時刻の変更を受け付けないようにしてもよい。
【００３８】
以上説明したように、上記実施形態の表示端末１によれば、各コンテンツに対応した印刷禁止期間が相対時間として取得され、ダウンロード時からのその相対時間後の日時が印刷可能日時として算出されてコンテンツに対応させてＥＥＰＲＯＭ１３に記憶される。印刷指示が入力されたときには、印刷可能日時が到来しているかどうかを判断して、到来していない場合には印刷の実行を不可としている。従って、ダウンロード時からの相対時間が経過していないコンテンツについては印刷を防止することができる。また、時計の示す現在時刻が変更された場合にも、その差分を加えることにより印刷可能日時を再計算して記憶するので、ダウンロード時から印刷可能日時までの相対時間を維持することができる。
【００３９】
尚、上記実施形態において、操作キー１６が本発明の印刷指示入力手段及び日時変更手段に相当する。また、ＥＥＰＲＯＭ１３が本発明の印刷禁止期間情報記憶手段に相当する。図２のＳ１でコンテンツと印刷禁止期間情報をダウンロードするＣＰＵ１０が本発明のコンテンツ情報取得手段及び印刷禁止期間情報取得手段に相当する。また、図３のＳ２３で印刷可能日時を越えているか否かを判断するＣＰＵ１０が本発明の判断手段に相当する。また、図２のＳ３で現在時刻を取得するＣＰＵ１０が本発明のコンテンツ取得日時取得手段に相当する。また、図３のＳ２２で現在時刻を取得するＣＰＵ１０が本発明の印刷指示日時取得手段に相当する。また、図２のＳ５で印刷可能日時を計算するＣＰＵ１０が本発明の印刷可能日時算出手段に相当する。また、図４のＳ４３で現在時刻と設定時刻の差分を求めるＣＰＵ１０が本発明の差分算出手段に相当する。また、図４のＳ４５で印刷可能日時を修正するＣＰＵ１０が本発明の修正手段に相当する。
【００４０】
また、上記実施形態では、出力装置が印刷装置２である場合について説明したが、請求項８に記載の出力装置は、上述の印刷装置２に限られない。例えば、出力装置としてプロジェクタなどの大勢で同時に使用する表示出力装置も考えられる。この場合に本発明を適用すれば、プロジェクタ等に投影して多くの人により閲覧可能となることを防止できる。
【図面の簡単な説明】
【００４１】
【図１】表示端末１の電気的構成を示すブロック図である。
【図２】ダウンロード処理のフローチャートである。
【図３】印刷指示処理のフローチャートである。
【図４】時刻変更処理のフローチャートである。
【符号の説明】
【００４２】
１      表示端末
２      印刷装置
１０      ＣＰＵ
１３      ＥＥＰＲＯＭ
１５      表示部
１６      操作キー
１９      メモリカード
２０      時計
【図１】
2008226195.tif 000003
【図２】
2008226195.tif 000004
【図３】
2008226195.tif 000005
【図４】
2008226195.tif 000006